(57)【要約】【課題】ファッション性とアクセサリー感覚を演出するための装飾用の石を設け、かつ睫毛カール作業を行い易くする。【解決手段】回動自在に軸支された一対のレバー７，９の下部に指を差し込む指掛け穴１１，２９を有する取っ手部１３，３１でなるグリップ機構部３と、一対のレバーの操作により固定側型付け部２３と可動側型付け部３９とを開閉、接離自在に構成した睫毛カール機構部５と、からなる。一対のレバーの取っ手部１３，３１のうちの少なくとも一方に、少なくとも一つ以上の装飾用の石４７を固定して設ける。装飾用の石４７は、光輝く装飾部と、この装飾部の下部に設けた円錐形の基部５１と、この基部５１の表面に設けた表面処理層５３とを有する。取っ手部は、装飾用の石４７の基部５１の表面と接合可能な円錐形穴部５５を有する。装飾用の石の基部５１と取っ手部の円錐形穴部５５を接着剤５７で固定している。【選択図】図１
2010172661.tif 000002
【特許請求の範囲】
【請求項１】
回動自在に軸支された一対のレバー及びそのレバーの下部に指を差し込む指掛け穴を有する取っ手部でなるグリップ機構部と、このグリップ機構部における一対のレバーの操作により固定側型付け部と可動側型付け部とを開閉、接離自在に構成した睫毛カール機構部と、からなるアイラッシュカーラーにおいて、
前記一対のレバーの取っ手部のうちの少なくとも一方に、少なくとも一つ以上の装飾用の石を固定して設けたことを特徴とするアイラッシュカーラー。
【請求項２】
回動自在に軸支された一対のレバー及びそのレバーの下部に指を差し込む指掛け穴を有する取っ手部でなるグリップ機構部と、このグリップ機構部における一対のレバーの操作により固定側型付け部と可動側型付け部とを開閉、接離自在に構成した睫毛カール機構部と、からなるアイラッシュカーラーにおいて、
前記一対のレバーの取っ手部のうちの少なくとも一方に、少なくとも一つ以上の装飾用の石を固定して設け、
その装飾用の石を前記取っ手部に固定する構成は、前記装飾用の石が、光輝く装飾部と、この装飾部の下部に設けた円錐形の基部と、この基部の表面に設けた表面処理層とを有し、
前記取っ手部が、前記装飾用の石の基部の表面と接合可能な円錐形穴部を有し、
前記装飾用の石の基部と前記取っ手部の円錐形穴部を接着剤で固定してなることを特徴とするアイラッシュカーラー。
【請求項３】
回動自在に軸支された一対のレバー及びそのレバーの下部に指を差し込む指掛け穴を有する取っ手部でなるグリップ機構部と、このグリップ機構部における一対のレバーの操作により固定側型付け部と可動側型付け部とを開閉、接離自在に構成した睫毛カール機構部と、からなるアイラッシュカーラーにおいて、
前記一対のレバーの取っ手部のうちの少なくとも一方に、少なくとも一つ以上の装飾用の石を固定して設け、
その装飾用の石を前記取っ手部に固定する構成は、前記装飾用の石が、筒状をなす台部の上に爪部にて固定して設けられており、
前記取っ手部が、前記装飾用の石を固定した台部を挿入可能で、かつ当該取っ手部を貫通する貫通孔部を有し、
前記装飾用の石の台部の外周の少なくとも一部と前記取っ手部の貫通孔部を接着剤で固定してなることを特徴とするアイラッシュカーラー。
【請求項４】
前記取っ手部は互いに接触して並列した２本のアームからなり、前記円錐形穴部又は前記貫通孔部は前記２本のアームの接触部を中心に設けられていることを特徴とする請求項２又は３記載のアイラッシュカーラー。
【請求項５】
前記取っ手部の指掛け穴に、掛け具を介してチャーム装飾用の石を掛けていることを特徴とする請求項２、３又は４記載のアイラッシュカーラー。
【請求項６】
前記可動側型付け部に連結する取っ手部は互いに接触して並列した２本のアームからなり、その２本のアームに装飾用の石を固定して設け、
一方、前記固定側型付け部に連結する取っ手部の指掛け穴に、掛け具を介してチャーム装飾用の石を掛けていることを特徴とする請求項２又は３記載のアイラッシュカーラー。
【請求項７】
前記装飾用の石がクリスタルガラスであることを特徴とする請求項１、２、３、４、５又は６記載のアイラッシュカーラー。
【発明の詳細な説明】
【技術分野】
【０００１】
この発明は、睫毛にカールを付けるアイラッシュカーラーに関する。
【背景技術】
【０００２】
従来、鋏状の機構により開閉する部分に睫毛を挟んで締め付け、睫毛にカールを付けるアイラッシュカーラーはすでに良く知られている。例えば特許文献１に示されているように、アイラッシュカーラーは回動自在に軸支して鋏状に開閉する一対の指掛けレバーを備えている。この一方の指掛けレバーには支軸から上方に二股状に延び出した二股状アームが連接され、他方の指掛けレバーには支軸から若干の長さで延び出した部分の先端には２つのリンクが回動自在に連結されている。前記二股状アームの間における先端部分には円弧状に湾曲した固定側型付け部が掛け渡されていると共に、二股状アームに沿って上下動自在に可動側型付け部が前記２つのリンクの先端に取り付けられている。
【０００３】
また、可動側型付け部は固定側型付け部と同様に円弧状に湾曲されており、ゴムのような弾性先端を有している。固定側型付け部は薄い切り刃状の金属板からなっており、一対の指掛けレバーを操作して、相対的に接近・離反する可動側型付け部の弾性先端と固定側型付け部との間に睫毛を挟み圧力を加えて睫毛に型付けをしてカールさせるものである。
【先行技術文献】
【特許文献】
【０００４】
【特許文献１】特開２００４−２２９７２２号公報
【発明の概要】
【発明が解決しようとする課題】
【０００５】
ところで、従来のアイラッシュカーラーは、睫毛をカールするための機能部である固定側型付け部と可動側型付け部などの重量が大きい部材がアイラッシュカーラーの上部に位置しているためにその重心が高い位置にある。そのために、使用者がアイラッシュカーラーを持って睫毛カール作業を行う際に手振れ等が生じるので、特に睫毛をカールするための機能部を安定した状態に維持して睫毛をカールする作業を行うことが容易ではないという問題点があった。
【０００６】
さらに、アイラッシュカーラーは女性の美しさを引き立たせることに寄与するものであり、女性の美を追求する願望を満足するための道具となっているが、従来のアイラッシュカーラーにおいてはファッション性に乏しいものであった。
【０００７】
そこで、アイラッシュカーラーにおいてもファッション性とアクセサリー感覚を演出するために、例えばクリスタルガラスなどの装飾品を付けることが考えられるが、アイラッシュカーラー自体が女性の指に優しくフィットするように軽く作られているので、特に他の製品で一般的に使用されている装飾品を、例えば指掛けレバーの下部の取っ手の部分に取り付けることは、装着面積が小さいので簡単に剥離したり破損したりするために難しいものであった。
【０００８】
比較的面積が広い部分は固定側型付け部であるので、この固定側型付け部に装飾品を取り付けても、アイラッシュカーラーの重心がさらに高くなってしまうために、前述した理由で睫毛カール作業がさらに行い難くなってしまうという問題点が生じる。
【０００９】
この発明は、アイラッシュカーラーに対してもファッション性とアクセサリー感覚を演出するための装飾用の石を設け、かつ睫毛カール作業を行い易くすることを目的とする。
【課題を解決するための手段】
【００１０】
上記の課題を解決するために、この発明のアイラッシュカーラーは、回動自在に軸支された一対のレバー及びそのレバーの下部に指を差し込む指掛け穴を有する取っ手部でなるグリップ機構部と、このグリップ機構部における一対のレバーの操作により固定側型付け部と可動側型付け部とを開閉、接離自在に構成した睫毛カール機構部と、からなるアイラッシュカーラーにおいて、
前記一対のレバーの取っ手部のうちの少なくとも一方に、少なくとも一つ以上の装飾用の石を固定して設けたことを特徴とするものである。
【００１１】
この発明のアイラッシュカーラーは、回動自在に軸支された一対のレバー及びそのレバーの下部に指を差し込む指掛け穴を有する取っ手部でなるグリップ機構部と、このグリップ機構部における一対のレバーの操作により固定側型付け部と可動側型付け部とを開閉、接離自在に構成した睫毛カール機構部と、からなるアイラッシュカーラーにおいて、
前記一対のレバーの取っ手部のうちの少なくとも一方に、少なくとも一つ以上の装飾用の石を固定して設け、
その装飾用の石を前記取っ手部に固定する構成は、前記装飾用の石が、光輝く装飾部と、この装飾部の下部に設けた円錐形の基部と、この基部の表面に設けた表面処理層とを有し、
前記取っ手部が、前記装飾用の石の基部の表面と接合可能な円錐形穴部を有し、
前記装飾用の石の基部と前記取っ手部の円錐形穴部を接着剤で固定してなることを特徴とするものである。
【００１２】
この発明のアイラッシュカーラーは、回動自在に軸支された一対のレバー及びそのレバーの下部に指を差し込む指掛け穴を有する取っ手部でなるグリップ機構部と、このグリップ機構部における一対のレバーの操作により固定側型付け部と可動側型付け部とを開閉、接離自在に構成した睫毛カール機構部と、からなるアイラッシュカーラーにおいて、
前記一対のレバーの取っ手部のうちの少なくとも一方に、少なくとも一つ以上の装飾用の石を固定して設け、
その装飾用の石を前記取っ手部に固定する構成は、前記装飾用の石が、筒状をなす台部の上に爪部にて固定して設けられており、
前記取っ手部が、前記装飾用の石を固定した台部を挿入可能で、かつ当該取っ手部を貫通する貫通孔部を有し、
前記装飾用の石の台部の外周の少なくとも一部と前記取っ手部の貫通孔部を接着剤で固定してなることを特徴とするものである。
【００１３】
また、この発明のアイラッシュカーラーは、前記アイラッシュカーラーにおいて、前記取っ手部は互いに接触して並列した２本のアームからなり、前記円錐形穴部又は前記貫通孔部は前記２本のアームの接触部を中心に設けられていることが好ましい。
【００１４】
また、この発明のアイラッシュカーラーは、前記アイラッシュカーラーにおいて、前記取っ手部の指掛け穴に、掛け具を介してチャーム装飾用の石を掛けていることが好ましい。
【００１５】
また、この発明のアイラッシュカーラーは、前記アイラッシュカーラーにおいて、前記可動側型付け部に連結する取っ手部は互いに接触して並列した２本のアームからなり、その２本のアームに装飾用の石を固定して設け、
一方、前記固定側型付け部に連結する取っ手部の指掛け穴に、掛け具を介してチャーム装飾用の石を掛けていることが好ましい。
【００１６】
また、この発明のアイラッシュカーラーは、前記アイラッシュカーラーにおいて、前記装飾用の石がクリスタルガラスであることが好ましい。
【発明の効果】
【００１７】
以上のごとき課題を解決するための手段から理解されるように、この発明によれば、取っ手部が装飾用の石により重くなることで、アイラッシュカーラーの重心が下がることから、睫毛カール作業の安定感を向上させることができる。さらに、装飾用の石を設けたのでアイラッシュカーラーに対してファッション性とアクセサリー感覚を演出することができる。
【００１８】
この発明によれば、装飾用の石の基部が円錐形であり、この基部を取っ手部の円錐形穴部に接着剤で接合して固定するので、その接着面積が広いために接着強度が高くなる。その結果、装飾用の石は取っ手部から剥れ難くなり、衝撃からの剥れを防止することができる。
【００１９】
また、取っ手部が装飾用の石により重くなることで、アイラッシュカーラーの重心が下がることから、睫毛カール作業の安定感を向上させることができる。
【００２０】
さらに、装飾用の石の基部の表面に表面処理層を施しているので、装飾用の石に取り込まれた光が表面処理層で反射され、かつ、基部が円錐形であるために内部で光の乱反射が多くなるので、装飾用の石の表面に生じる輝きを大きくすることができる。したがって、アイラッシュカーラーに対してファッション性とアクセサリー感覚を演出することができる。
【００２１】
この発明によれば、装飾用の石を爪部で固定した筒状の台部が取っ手部に貫通した貫通孔部に挿入して接着剤で固定されるので、台部の接着面積が広いために接着強度を高くできる。それにより、装飾用の石付きの台部は取っ手部から外れにくくなり、衝撃からの破壊を防止することができる。
【００２２】
また、装飾用の石の底面には接着剤が塗布されておらず、台部が筒状であり、かつ貫通孔部が取っ手部に貫通しているのでその貫通孔部から入ってくる光が装飾用の石の底面から内部を経て表面で乱反射するので、装飾用の石は上と下からの光により輝きを大きくすることができる。
【００２３】
また、アイラッシュカーラーの重心が下がることから、睫毛カール作業の安定感を向上させたり、アイラッシュカーラーに対してファッション性とアクセサリー感覚を演出することができるという点で上述したものと同様の効果がある。
【図面の簡単な説明】
【００２４】
【図１】この発明の第１及び第２の実施の形態のアイラッシュカーラーの斜視図である。
【図２】第１の実施の形態のクリスタルガラスを取っ手部に固定する分解斜視図である。
【図３】図２のクリスタルガラスと取っ手部との固定状態を示す断面図である。
【図４】（Ａ）は図２のクリスタルガラスにおける光の乱反射の状態を示す概略断面図で、（Ｂ）は他の製品の一般的なクリスタルガラスにおける光の乱反射の状態を示す概略断面図である。
【図５】第２の実施の形態のクリスタルガラスを取っ手部に固定する分解斜視図である。
【図６】図５のクリスタルガラスと取っ手部との固定状態を示す断面図である。
【図７】キューブ型チャームを指掛けレバーの取っ手部に掛けた状態を示す斜視図である。
【図８】ゴルフボール・クラブ型チャームを指掛けレバーの取っ手部に掛けた状態を示す斜視図である。
【発明を実施するための形態】
【００２５】
以下、この発明の実施の形態について図面を参照して説明する。
【００２６】
図１を参照するに、この実施の形態に係るアイラッシュカーラー１は、グリップ機構部３と、睫毛カール機構部５とで構成されている。前記グリップ機構部３は回動自在に軸支して鋏状に開閉する一対の指掛けレバー７、９を備えている。なお、指掛けレバー７、９は鋼やステンレス等の金属製である。
【００２７】
一方の指掛けレバー７は、その下部が例えば親指を差し込むための指掛け穴１１を形成した取っ手部１３を有する二股状アーム１５Ａ，１５Ｂで一体形状に構成されている。また、二股状アーム１５Ａ，１５Ｂの図１において上下方向のほぼ中央部は互いに離反する方向に折曲げられた折曲げ部１７が形成されており、この折曲げ部１７には支軸１９を挿通可能な軸孔２１が設けられている。
【００２８】
さらに、二股状アーム１５Ａ，１５Ｂの図１において上部側は互いに離反する方向に折曲げられて二股状アーム１５Ａ，１５Ｂの間隔を広げてから、二股状アーム１５Ａ，１５Ｂの上端には例えば金属板からなり、かつ円弧形状に湾曲された固定側型付け部２３の左右端部２５，２７が装着されて固定されている。
【００２９】
他方の指掛けレバー９は１本の長尺の部材を二股に折曲げて二股アーム部９Ｌ，９Ｒが形成され、この２本の二股アーム部９Ｌ，９Ｒを揃えて湾曲形状に折曲げることで、例えば人差し指又は中指を差し込むための指掛け用の指掛け穴２９を有する取っ手部３１が形成されている。二股アーム部９Ｌ，９Ｒの上端側には支軸１９を挿通可能な軸孔３３が設けられている。
【００３０】
上記の指掛けレバー７の軸孔２１と指掛けレバー９の軸孔３３に支軸１９が挿通されて鋏状に開閉する構成である。
【００３１】
さらに、指掛けレバー９の上端には一対のアーム３５，３７の下端が可動可能に取り付けられていると共に一対のアーム３５，３７の上端が円弧形状に湾曲された可動側型付け部３９の中央から左右側に離れて左右方向へ可動に取り付けられている。
【００３２】
しかも、上記の可動側型付け部３９の左右の端部４１，４３が前記二股状アーム１５Ａ，１５Ｂに添って摺動自在に装着されている。前記可動側型付け部３９の上側すなわち、固定側型付け部２３側にゴムのごとき弾性部材４５が取り付けられている。固定側型付け部２３と可動側型付け部３９の円弧形状の湾曲された形状はほぼ同じものになっている。
【００３３】
上記構成により、一対の指掛けレバー７、９を人が指掛けレバー７、９に形成された指掛け穴１１，２９に指を入れて操作することで、指掛けレバー７に対して指掛けレバー９が支軸１９を支点として回動すると、一対のアーム３５，３７を介して固定側型付け部２３に対して可動側型付け部３９が接近したり、離反されることになる。固定側型付け部２３に対して可動側型付け部３９が接近されることで、固定側型付け部２３と可動側型付け部３９に設けられた弾性部材４５とで睫毛の根本を挟んでしっかりとカールさせることができる。
【００３４】
さらに加えて、この第１の実施の形態のアイラッシュカーラー１は、上記の指掛けレバー９の指掛け穴２９を有する取っ手部３１には、少なくとも一つ以上の装飾用の石としての例えばクリスタルガラス４７が固定されている。この実施の形態では３個のクリスタルガラス４７が固定されている。３個のクリスタルガラス４７のうち、中央は大きく、他は少し小さいものが固定されている。
【００３５】
なお、この実施の形態では、「装飾用の石」とは、天然宝石と模倣宝石を包含して称する。天然宝石としては特に処理宝石（カットや研磨の処理を行った宝石）である。模倣宝石としては合成宝石（人工宝石で、天然宝石と同一の成分から科学的に作り出された宝石）、人造宝石（天然宝石とは異なる物質を使用して作り出された天然宝石様の宝石）、模造宝石（ガラス・プラスチック・陶器などを使用して天然宝石を模したもの）などがある。上記のクリスタルガラス４７は模造宝石の部類に該当する。
【００３６】
図２及び図３を参照するに、上記のクリスタルガラス４７を前記取っ手部３１に固定する構造について説明すると、クリスタルガラス４７の上部に光が乱反射してキラキラと光輝く装飾部となる雑型カット４９（クリスタルカット）が形成されており、その下部に円錐形の基部５１が形成されている。また、前記基部５１の表面には、図３に示されているように、例えばメッキなどの表面処理層５３が施されている。
【００３７】
一方、上記の取っ手部３１は、前記クリスタルガラス４７の基部５１の表面と接合可能な円錐形穴部５５が形成されている。なお、この円錐形穴部５５は取っ手部３１を貫通していても、貫通してなくても良い。
【００３８】
この実施の形態では取っ手部３１は２本の二股アーム部９Ｌ，９Ｒが互いに接触するように並列に揃えて湾曲形状に一体的に折曲げられているので、上記の円錐形穴部５５は前記２本の二股アーム部９Ｌ，９Ｒの接触部９Ｔを中心に設けられている。これにより、切削ドリルの先端が二股アーム部９Ｌ，９Ｒの接触部９Ｔの凹んだ部分に必然的に案内されて位置決めされるので、円錐形穴部５５を容易に形成できる効果がある。
【００３９】
なお、取っ手部３１は２本の二股アーム部９Ｌ，９Ｒに限定されるものではなく、１本の太いアームで構成されても良い。しかし、そのアームの断面が円形状であると、上記の円錐形穴部５５を所望の位置に形成することが難しいので、予めアームの幅方向の中央に溝部を設け、その溝部を中心にして円錐形穴部５５を設けることができる。さらに、２本の二股アーム部９Ｌ，９Ｒであると、アイラッシュカーラー１の下部側に重量を増すことができるのでアイラッシュカーラー１を持った時の安定感が良いことと、見た目が良いことと、軽い力で睫毛カール作業を行えるという点で望ましい。
【００４０】
上記のクリスタルガラス４７の基部５１が取っ手部３１の円錐形穴部５５に接着剤５７で固定される。なお、その接着剤５７としては、例えばエポキシ樹脂とポリアミドアミンの２液タイプのエポキシ系の接着剤であり、金属、ガラス、陶磁器、木材、タイル等を接着可能な接着剤が用いられているが、この限りではない。
【００４１】
上記のクリスタルガラス４７を取っ手部３１に固定する工程としては、まず、切削ドリルで２本の二股アーム部９Ｌ，９Ｒに接触部９Ｔを中心にして３箇所の円錐形穴部５５が設けられる。次いで、その円錐形穴部５５に接着剤５７が塗布される。その接着剤５７にクリスタルガラス４７の基部５１を押しつけて約１２時間ほど乾燥する。
【００４２】
現在、ファッション界からの流れで、アクセサリーがファッションの一部になり、光やデザインによる装飾においてはクリスタルガラス等の装飾用の石を用いた装飾が多く、幅広い層の女性に支持される製品になっている。クリスタルガラス等の装飾用の石の輝きは、女性の美からくる明るさ、華やかさ、可愛さの感性を刺激し、生活の中でたいへん有意義な製品である。また、商法の面でも、女性の購買欲を強く刺激し、消費拡大に貢献し、社会に役立つものである。
【００４３】
したがって、上記のようにクリスタルガラス４７等の装飾用の石を用いてアイラッシュカーラー１に装飾を施すことにより、製品の価値を高めることに貢献する。
【００４４】
しかも、第１の実施の形態では、クリスタルガラス４７の基部５１が円錐形であり、このクリスタルガラス４７の基部５１を取っ手部３１の円錐形穴部５５に接着剤５７で接合して固定するので、その接着面積が広いために接着強度が高くなる。その結果、クリスタルガラス４７は取っ手部３１から剥れ難くなり、衝撃からの剥れを防止することができる。
【００４５】
さらに、クリスタルガラス４７の基部５１の表面に表面処理層５３が施されているので、雑型カット４９から取り込まれた光は、図４（Ａ）に示されているように、表面処理層５３で反射され、かつ、基部５１が円錐形であるので、光がクリスタルガラス４７の内部で乱反射が多くなるので、雑型カット４９の表面に生じる輝きが大きくなるという効果がある。したがって、アイラッシュカーラーに対してファッション性とアクセサリー感覚を効果的に演出することができる。
【００４６】
ちなみに、他の製品で一般的に使用されているクリスタルガラス５９は、図４（Ｂ）に示されているように、台形で、底面が平面なので、光を乱反射させる容量が少ないために、この実施の形態のクリスタルガラス４７と比べて輝きが小さいものである。
【００４７】
さらに加えて、取っ手部３１がクリスタルガラス４７により重くなることで、アイラッシュカーラー１の重心が下がることから、睫毛カール作業の安定感が増すことになる。
【００４８】
なお、クリスタルガラス４７の大きさや数は特に限定されない。また、この実施の形態では、クリスタルガラス４７は人差し指又は中指を差し込む側の取っ手部３１に設けているが、この限りではない。この場合は、取っ手部３１がクリスタルガラス４７により重くなることで、グリップ機構部３が閉じる方向に動き易くなるために睫毛カールの操作がしやすくなるという点で、取っ手部３１の側にクリスタルガラス４７を設けることが望ましい。
【００４９】
また、アイラッシュカーラー１のファッション性とアクセサリー感覚を高めるための一例として、指掛けレバー７、９等の本体には黒色、銀色、金色が用いられる。さらに、本体の黒色に対しては３個のクリスタルガラス４７が図１において上から下へ順に水色、シャンパンゴールド、ピンクが用いられる。また、本体の銀色に対しては上から順にペリドット、ピンク、水色が用いられる。また、本体の金色に対してはすべて透明のクリスタルが用いられる。
【００５０】
次に、この発明の第２の実施の形態のアイラッシュカーラー６１について図面を参照して説明する。なお、前述した第１の実施の形態のアイラッシュカーラー１とほぼ同様であるので、特に第１の実施の形態と異なる点を説明し、同様の部材は同じ符号を付して詳細な説明を省略する。
【００５１】
図５及び図６を参照するに、第２の実施の形態のクリスタルガラス６３及びそのクリスタルガラス６３を前記取っ手部３１に固定する構造が、第１の実施の形態と異なる点である。
【００５２】
クリスタルガラス６３は、貫通する筒状をなす台部６５の上に載せて前記台部６５に設けた複数の爪部６７にて固定されている。なお、台部６５の上部には外側フランジ部６９を有しており、その外側フランジ部６９の上端に図５では四方の４つの爪部６７が設けられている。したがって、クリスタルガラス６３を台部６５の上面に載せてから、４つの爪部６７を内側に折り曲げてクリスタルガラス６３を台部６５に保持、固定する。
【００５３】
なお、上記の爪部６７の数は、６個でもあるいは８個でもよく、あるいはその他の数でも良く、特に限定されない。また、上記の台部６５は、図５においては円筒状であるが、断面四角形の筒状でも、あるいは他の断面形の筒状であっても良い。
【００５４】
一方、上記の取っ手部３１は、前記クリスタルガラス６３を固定した台部６５を挿入可能な貫通孔部７１が設けられている。この実施の形態では取っ手部３１は２本の二股アーム部９Ｌ，９Ｒが接触するように並列に揃えて湾曲形状に一体的に折曲げられているので、上記の貫通孔部７１は前記２本の二股アーム部９Ｌ，９Ｒの接触部９Ｔを中心に設けられている。これにより、切削ドリルの先端が二股アーム部９Ｌ，９Ｒの接触部９Ｔの凹んだ部分に必然的に案内されて位置決めされるので、貫通孔部７１を容易に形成できる効果がある。
【００５５】
なお、取っ手部３１は２本の二股アーム部９Ｌ，９Ｒに限定されるものではなく、１本の太いアームで構成されても良い。しかし、そのアームの断面が円形状であると、上記の貫通孔部７１を所望の位置に形成することが難しいので、予めアームの幅方向の中央に溝部を設け、その溝部を中心にして貫通孔部７１を設けることができる。
【００５６】
クリスタルガラス６３を台部６５に取り付けた後に、その台部６５の外周面に例えば２液タイプのエポキシ系の接着剤５７を塗布してから、そのクリスタルガラス６３付きの台部６５を取っ手部３１の貫通孔部７１に挿入する。台部６５の外側フランジ部６９が取っ手部３１の表面に当接する。この状態で約１２時間ほど乾燥する。
【００５７】
これにより、クリスタルガラス付きの台部６５が接着剤５７で取っ手部３１の貫通孔部７１に固定されることになる。なお、台部６５の長さは貫通孔部７１から下方へ突出しないことが望ましい。
【００５８】
上記構成により、第２の実施の形態では、クリスタルガラス６３が筒状の台部６５に爪部６７で取り付けられ、その筒状の台部６５が取っ手部３１の貫通孔部７１に接着剤５７で固定されるので、その接着面積が広いために接着強度が高くなる。その結果、クリスタルガラス付きの台部６５は取っ手部３１から外れにくくなり、衝撃からの破壊を防止することができる。
【００５９】
さらに、クリスタルガラス６３が筒状の台部６５に爪部６７で取り付けられているので、クリスタルガラス６３の底面には接着剤が塗布されない。しかも、台部６５が筒状であり、かつ貫通孔部７１が下方へ貫通しているので、図６に示されているように、光はクリスタルガラス６３の雑型カット４９で乱反射することに加えて、貫通孔部７１の下方から入ってくる光が台部６５の中空を通過し、クリスタルガラス６３の底面から内部へ入射し、雑型カット４９の表面で乱反射することになる。したがって、上方からの光と下方からの光により、クリスタルガラス６３の雑型カット４９の表面で乱反射が大きくなるので、生じる輝きが大きくなるという効果がある。
【００６０】
また、第２の実施の形態では、装飾用の石としてのクリスタルガラス６３が台部６５の爪部６７で固定されるので、装飾用の石の加工性という点では、第１の実施の形態より種々の装飾用の石が用いられ易くなる。例えば、装飾用の石としてはキュービックジルコニア（人工ダイヤモンド）を用いることが容易である。このキュービックジルコニアは、前述した「装飾用の石」の定義付けの説明において合成宝石の部類に該当する。その他の作用、効果は、前述した第１の実施の形態とほぼ同様であるので、詳しい説明は省略する。
【００６１】
なお、前述した第１及び第２の実施の形態のアイラッシュカーラー１、６１には、図７及び図８に示されているように、取っ手部１３、３１の指掛け穴１１、２９に、リング７３及びフック７５などの掛け具を介してチャーム装飾用の石としての例えばクリスタルガラスでなるチャーム７７を掛けることができる。そのチャーム７７は、例えば図７のキューブ型チャーム７７Ａや図８のゴルフボール・クラブ型チャーム７７Ｂなどの種々の形を持って光輝く装飾用の石である。
【００６２】
そのようなチャーム装飾用の石を例えば指掛けレバー７の取っ手部１３に掛けることで、指掛けレバー７の重心が下がって安定感を呈してくるので使い易くなり、かつ、光輝く装飾となるので使用者の気持ちを明るくすることに寄与する。
【００６３】
なお、チャーム装飾用の石は、図７及び図８では指掛けレバー７の取っ手部１３に掛けているが、他方の指掛けレバー９の取っ手部３１に掛けても構わない。
【符号の説明】
【００６４】
１  アイラッシュカーラー
３  グリップ機構部
５  睫毛カール機構部
７、９  指掛けレバー
９Ｌ，９Ｒ  二股アーム部
９Ｔ  接触部
１１  指掛け穴
１３  取っ手部
１５Ａ，１５Ｂ  二股状アーム
１９  支軸
２３  固定側型付け部
２９  指掛け穴
３１  取っ手部
３５、３７  アーム
３９  可動側型付け部
４５  弾性部材
４７  クリスタルガラス（装飾用の石）
４９  雑型カット
５１  基部
５３  表面処理層
５５  円錐形穴部
５７  接着剤
５９  クリスタルガラス
６１  アイラッシュカーラー
６３  クリスタルガラス（装飾用の石）
６５  台部
６７  爪部
６９  外側フランジ部
７１  貫通孔部
７３  リング（掛け具）
７５  フック（掛け具）
７７  チャーム（装飾用の石）
７７Ａ  キューブ型チャーム
７７Ｂ  ゴルフボール・クラブ型チャーム
【図１】
2010172661.tif 000003
【図２】
2010172661.tif 000004
【図３】
2010172661.tif 000005
【図４】
2010172661.tif 000006
【図５】
2010172661.tif 000007
【図６】
2010172661.tif 000008
【図７】
2010172661.tif 000009
【図８】
2010172661.tif 000010